(57)【要約】      （修正有）【課題】充分な画質の露出設定をエラーなく行う。【解決手段】取り込み装置で表面上のプレビュー画像の投影を取り込むステップとプレビュー画像において1つ以上の興味領域を特定する入力を受信するステップと較正プロセスに関連している露出画像を表面上に投影するステップと取り込み装置に対する露出属性の設定を演算するステップと露出属性の設定に基づき露出設定を記憶するステップとを有し、各ステップの各操作はプロセッサーにより実行され、演算するステップは露出属性の設定を用いて取り込み装置で露出画像の投影を取り込むステップとプレビュー画像を取り込むステップにおいて特定された興味領域に対応する興味領域におけるピクセルに関する1つ以上の記述統計を測定するステップと1つ以上の記述統計を較正プロセスにより決定される評価関数で評価するステップと取り込み装置に対する露出属性の改定設定を確立するステップとを反復的に行なう。【選択図】図１
2011061773.tif 000002
【特許請求の範囲】
【請求項１】
取り込み装置で表面上のプレビュー画像の投影を取り込むステップと、
前記取り込んだプレビュー画像において1つ以上の興味領域を特定する入力を受信する
ステップと、
較正プロセスに関連している露出画像を前記表面上に投影するステップと、
前記取り込み装置に対する露出属性の設定を演算するステップと、
前記露出属性の設定に基づき露出設定を記憶するステップとを有し、
前記各ステップの各操作はプロセッサーにより実行されるものであり、
前記演算するステップは、
（ａ）前記露出属性の設定を用いて前記取り込み装置で前記露出画像の投影を取り込む
ステップと、
（ｂ）前記プレビュー画像を取り込むステップにおいて、前記特定された興味領域に対
応する興味領域におけるピクセルに関する1つ以上の記述統計を測定するステップと、
（ｃ）前記1つ以上の記述統計を前記較正プロセスにより決定される評価関数で評価す
るステップと、
（ｄ）前記取り込み装置に対する前記露出属性の改定設定を確立するステップとを反復
的に行なうことを含む露出属性の設定方法。
【請求項２】
前記記述統計は、前記プレビュー画像の取り込みにおいて特定された前記興味領域に対
応する前記露出画像の取り込みの前記興味領域における前記ピクセルの1つ以上の色チャ
ンネルに関連する請求項1に記載の露出属性の設定方法。
【請求項３】
前記露出属性は、シャッター速度、絞り、およびＩＳＯ設定からなるグループから選択
される1つ以上の属性を含む請求項1に記載の露出属性の設定方法。
【請求項４】
前記色チャンネルは、赤の色チャンネル、緑の色チャンネル、および青の色チャンネル
を含む請求項1に記載の露出属性の設定方法。
【請求項５】
前記露出画像は、グレースケール画像、赤画像、緑画像、または青画像の1つである請
求項1に記載の露出属性の設定方法。
【請求項６】
前記記述統計は、中央値の最小、中央値の最大、中央値の中央、および中央値の平均か
らなるグループから選択される1つ以上の統計を含む請求項1に記載の露出属性の設定方法
。
【請求項７】
前記露出属性の設定は、複数のプロジェクターから表示を作成するシステムの入力であ
る請求項1に記載の露出属性の設定方法。
【請求項８】
前記露出画像は、前記較正プロセスにおける較正画像と実質的に類似している請求項1
に記載の露出属性の設定方法。
【請求項９】
前記興味領域に関する入力は、グラフィカルユーザーインターフェイスにおけるビュー
により受信される請求項1に記載の露出属性の設定方法。
【請求項１０】
前記興味領域は実質的に同じサイズである請求項1に記載の露出属性の設定方法。
【請求項１１】
前記取り込み装置に対する前記露出属性の初期設定を確立するステップと、
前記表面上にプレビュー画像を投影するステップとをさらに有し、
前記初期設定は少なくとも一部1つ以上のユーザー入力に依存し、前記ユーザー入力は
位置、向き、視野、視界の深度、シャッター速度、およびISO設定に対する調節からなる
グループから選択される調節を含む請求項１に記載の露出属性の設定方法。
【請求項１２】
前記1つ以上の記述統計を測定するステップは、前記露出画像の取り込みの興味領域に
おける各ピクセルにメディアンフィルターを適用することを含む請求項1に記載の露出属
性の設定方法。
【請求項１３】
１つ以上のプロセッサーによって方法が実行される有形の1つまたは複数のコンピュー
ター読み取り可能な記憶媒体であって、
前記方法は、
デジタルカメラ用に露出属性の第1設定を確立するステップと、
表面上にプレビュー画像を投影するステップと、
前記デジタルカメラで投影された前記プレビュー画像を取り込むステップと、
前記プレビュー画像を取り込むステップにおいて1つ以上の興味領域を特定する入力を
受信するステップと、
前記表面上に較正プロセスに関連する露出画像を投影するステップと、
前記デジタルカメラに対する露出属性の第2設定を演算するステップと、
前記露出属性の第2設定に基づく露出設定を記憶するステップとを有し、
前記第２設定を演算するステップは、
（ａ）前記露出属性の第１設定を用いて前記デジタルカメラで前記露出画像の投影を取
り込むステップと、
（ｂ）前記プレビュー画像を取り込むステップにおいて特定された前記興味領域に対応
する興味領域におけるピクセルに関する1つ以上の記述統計を測定するステップと、
（ｃ）前記1つ以上の記述統計を前記較正プロセスにより決定される評価関数で評価す
るステップと、
（ｄ）前記デジタルカメラに対する露出属性の改定設定を確立するステップとを反復的
に行なうことを含むコンピューター読み取り可能な記憶媒体。
【請求項１４】
前記記述統計は、前記プレビュー画像を取り込むステップにおいて特定された前記興味
領域に対応する前記露出画像の取り込みの興味領域におけるピクセルの1つ以上の色チャ
ンネルに関連する請求項13に記載のコンピューター読み取り可能な記憶媒体。
【請求項１５】
前記露出属性は、シャッター速度、絞り、およびＩＳＯ設定からなるグループから選択
される1つ以上の属性を含む、請求項13に記載のコンピューター読み取り可能な記憶媒体
。
【請求項１６】
前記露出属性の最終設定は、複数のプロジェクターからの比較的シームレスな表示を作
成するシステムに対する入力である請求項13に記載のコンピューター読み取り可能な記憶
媒体。
【請求項１７】
前記興味領域に関する入力はユーザーから来る請求項13に記載のコンピューター読み取
り可能な記憶媒体。
【請求項１８】
（ａ）較正プロセスの画像を複数の投影装置から表面上に表示するステップと、
（ｂ）前記表面上の画像を初期露出設定を有する取り込み装置で取り込むステップと、
（ｃ）特定された興味領域における各色チャンネルについて中央値を計算するステップ
であって、前記中央値は、露出設定が前記較正プロセスに対し満足できるものかを判定す
る評価関数に対する入力となるものであるステップと、
（ｄ）追加画像に対し前記ステップ（ａ）乃至（ｃ）を繰り返すステップとを有する画
像投影の設定方法。
【請求項１９】
前記色チャンネルは赤の色チャンネル、緑の色チャンネル、または青の色チャンネルの
1つである請求項18に記載の画像投影の設定方法。
【請求項２０】
前記画像は、グレースケール画像、赤画像、緑画像、または青画像の1つである請求項1
8に記載の画像投影の設定方法。
【請求項２１】
前記露出属性は、シャッター速度、絞り、およびＩＳＯ設定からなるグループから選択
される1つ以上の属性を含む請求項18に記載の画像投影の設定方法。
【請求項２２】
さらに露出設定が不充分であると判定された場合に、前記露出設定を調節するステップ
を有する請求項18に記載の画像投影の設定方法。
【請求項２３】
さらに露出設定が満足できると判定された場合に、前記露出設定を記憶するステップを
有する請求項18に記載の画像投影の設定方法。
【発明の詳細な説明】
【技術分野】
【０００１】
本発明は露出属性を設定する方法、コンピューター読み取り可能な記憶媒体および画像
投影の設定方法に関する。
【背景技術】
【０００２】
通常、一般的なデジタルカメラの露出設定は、（1）絞り、（2）シャッター速度、およ
び（3）ISO設定、の3つの調節可能な属性を含む。絞りはデジタルカメラの開口のサイズ
を決定する測定単位である。絞りが大きければ大きい程レンズを通過してカメラのデジタ
ルセンサーに向かう光の量が多くなる。シャッター速度はカメラにより画像が取り込まれ
る際、デジタルカメラのシャッターがどれだけの長さ開いているかを決定する測定単位で
ある。シャッター速度が遅ければ遅い程、露出時間が長くなる。ISO設定はカメラにおけ
るデジタルセンサーの光感度の測定単位である。ISO設定が高ければ高い程、デジタルセ
ンサーの感度が良くなる。
【先行技術文献】
【特許文献】
【０００３】
【特許文献１】米国特許第７０３８７２７号明細書
【発明の概要】
【発明が解決しようとする課題】
【０００４】
現在、これらの露出設定を自動的に設定する一般的なデジタルカメラが入手可能である
。しかし、以下に説明するいくつかの一般的プロジェクターから比較的シームレスな表示
を作成するシステムを含み、一般的なデジタルカメラを自動化構成要素として含むいくつ
かのシステムにおいては、このような自動露出設定は充分の画質の画像取り込みができな
いことが多い。もちろん、露出設定を手動で行なうことはできる。しかし、満足できる露
出設定はしばしば画像毎に異なる。従って、露出設定の手動設定は時間を取りエラーを起
こしがちなプロセスとなる。
【課題を解決するための手段】
【０００５】
本発明の露出属性の設定方法は、取り込み装置で表面上のプレビュー画像の投影を取り
込むステップと、
前記取り込んだプレビュー画像において1つ以上の興味領域を特定する入力を受信する
ステップと、
較正プロセスに関連している露出画像を前記表面上に投影するステップと、
前記取り込み装置に対する露出属性の設定を演算するステップと、
前記露出属性の設定に基づき露出設定を記憶するステップとを有し、
前記各ステップの各操作はプロセッサーにより実行されるものであり、
前記演算するステップは、
（ａ）前記露出属性の設定を用いて前記取り込み装置で前記露出画像の投影を取り込む
ステップと、
（ｂ）前記プレビュー画像を取り込むステップにおいて、前記特定された興味領域に対
応する興味領域におけるピクセルに関する1つ以上の記述統計を測定するステップと、
（ｃ）前記1つ以上の記述統計を前記較正プロセスにより決定される評価関数で評価す
るステップと、
（ｄ）前記取り込み装置に対する前記露出属性の改定設定を確立するステップとを反復
的に行なうことを含むことを特徴とする。
【０００６】
また、本発明の露出属性の設定方法において、前記記述統計は、前記プレビュー画像の
取り込みにおいて特定された前記興味領域に対応する前記露出画像の取り込みの前記興味
領域における前記ピクセルの1つ以上の色チャンネルに関連することを特徴とする。
【０００７】
また、本発明の露出属性の設定方法において、前記露出属性は、シャッター速度、絞り
、およびＩＳＯ設定からなるグループから選択される1つ以上の属性を含むことを特徴と
する。
【０００８】
また、本発明の露出属性の設定方法において、前記色チャンネルは、赤の色チャンネル
、緑の色チャンネル、および青の色チャンネルを含むことを特徴とする。
【０００９】
また、本発明の露出属性の設定方法において、前記露出画像は、グレースケール画像、
赤画像、緑画像、または青画像の1つであることを特徴とする。
【００１０】
また、本発明の露出属性の設定方法において、前記記述統計は、中央値の最小、中央値
の最大、中央値の中央、および中央値の平均からなるグループから選択される1つ以上の
統計を含むことを特徴とする。
【００１１】
また、本発明の露出属性の設定方法において、前記露出属性の設定は、複数のプロジェ
クターから表示を作成するシステムの入力であることを特徴とする。
【００１２】
また、本発明の露出属性の設定方法において、前記露出画像は、前記較正プロセスにお
ける較正画像と実質的に類似していることを特徴とする。
【００１３】
また、本発明の露出属性の設定方法において、前記興味領域に関する入力は、グラフィ
カルユーザーインターフェイスにおけるビューにより受信されることを特徴とする。
【００１４】
また、本発明の露出属性の設定方法において、前記興味領域は実質的に同じサイズであ
ることを特徴とする。
【００１５】
また、本発明の露出属性の設定方法において、前記取り込み装置に対する前記露出属性
の初期設定を確立するステップと、
前記表面上にプレビュー画像を投影するステップとをさらに有し、
前記初期設定は少なくとも一部1つ以上のユーザー入力に依存し、前記ユーザー入力は
位置、向き、視野、視界の深度、シャッター速度、およびISO設定に対する調節からなる
グループから選択される調節を含むことを特徴とする。
【００１６】
また、本発明の露出属性の設定方法において、前記1つ以上の記述統計を測定するステ
ップは、前記露出画像の取り込みの興味領域における各ピクセルにメディアンフィルター
を適用することを含むことを特徴とする。
【００１７】
ここで、本発明のコンピューター読み取り可能な記憶媒体は、１つ以上のプロセッサー
によって方法が実行される有形の1つまたは複数のコンピューター読み取り可能な記憶媒
体であって、
前記方法は、
デジタルカメラ用に露出属性の第1設定を確立するステップと、
表面上にプレビュー画像を投影するステップと、
前記デジタルカメラで投影された前記プレビュー画像を取り込むステップと、
前記プレビュー画像を取り込むステップにおいて1つ以上の興味領域を特定する入力を
受信するステップと、
前記表面上に較正プロセスに関連する露出画像を投影するステップと、
前記デジタルカメラに対する露出属性の第2設定を演算するステップと、
前記露出属性の第2設定に基づく露出設定を記憶するステップとを有し、
前記第２設定を演算するステップは、
（ａ）前記露出属性の第１設定を用いて前記デジタルカメラで前記露出画像の投影を取
り込むステップと、
（ｂ）前記プレビュー画像を取り込むステップにおいて特定された前記興味領域に対応
する興味領域におけるピクセルに関する1つ以上の記述統計を測定するステップと、
（ｃ）前記1つ以上の記述統計を前記較正プロセスにより決定される評価関数で評価す
るステップと、
（ｄ）前記デジタルカメラに対する露出属性の改定設定を確立するステップとを反復的
に行なうことを含むことを特徴とする。
【００１８】
また、本発明のコンピューター読み取り可能な記憶媒体において、前記記述統計は、前
記プレビュー画像を取り込むステップにおいて特定された前記興味領域に対応する前記露
出画像の取り込みの興味領域におけるピクセルの1つ以上の色チャンネルに関連すること
を特徴とする。
【００１９】
また、本発明のコンピューター読み取り可能な記憶媒体において、前記露出属性は、シ
ャッター速度、絞り、およびＩＳＯ設定からなるグループから選択される1つ以上の属性
を含むことを特徴とする。
【００２０】
また、本発明のコンピューター読み取り可能な記憶媒体において、前記露出属性の最終
設定は、複数のプロジェクターからの比較的シームレスな表示を作成するシステムに対す
る入力であることを特徴とする。
【００２１】
また、本発明のコンピューター読み取り可能な記憶媒体において、前記興味領域に関す
る入力はユーザーから来ることを特徴とする。
【００２２】
一方、本発明の画像投影の設定方法は、
（ａ）較正プロセスの画像を複数の投影装置から表面上に表示するステップと、
（ｂ）前記表面上の画像を初期露出設定を有する取り込み装置で取り込むステップと、
（ｃ）特定された興味領域における各色チャンネルについて中央値を計算するステップ
であって、前記中央値は、露出設定が前記較正プロセスに対し満足できるものかを判定す
る評価関数に対する入力となるものであるステップと、
（ｄ）追加画像に対し前記ステップ（ａ）乃至（ｃ）を繰り返すステップとを有するこ
とを特徴とする。
【００２３】
また、本発明の画像投影の設定方法において、前記色チャンネルは赤の色チャンネル、
緑の色チャンネル、または青の色チャンネルの1つであることを特徴とする。
【００２４】
また、本発明の画像投影の設定方法において、前記画像は、グレースケール画像、赤画
像、緑画像、または青画像の1つであることを特徴とする。
【００２５】
また、本発明の画像投影の設定方法において、前記露出属性は、シャッター速度、絞り
、およびＩＳＯ設定からなるグループから選択される1つ以上の属性を含むことを特徴と
する。
【００２６】
また、本発明の画像投影の設定方法において、さらに露出設定が不充分であると判定さ
れた場合に、前記露出設定を調節するステップを有することを特徴とする。
【００２７】
また、本発明の画像投影の設定方法において、さらに露出設定が満足できると判定され
た場合に、前記露出設定を記憶するステップを有することを特徴とする。
【図面の簡単な説明】
【００２８】
【図１】一実施形態例によりいくつかのプロジェクターから比較的シームレスな表示を作成するシステムにおけるハードウェア構成要素の概略図である。
【図２】一実施形態例によりいくつかのプロジェクターから比較的シームレスな表示を作成するシステムにおける高レベル機能モジュールの概略図である。
【図３】一実施形態例により較正プロセス用の露出属性の設定を得るモジュールにおける機能構成要素の概略図である。
【図４】一実施形態例によりいくつかのプロジェクターから比較的シームレスな表示を作成するシステムを較正するのに用い得る較正画像を記載する表を示す。
【図５】一実施形態例により較正プロセス用の露出属性の設定を得るプロセスを示すフローチャート図である。
【図６】一実施形態例により露出画像の取り込みにおいてユーザーにより特定された興味領域を評価するプロセスを図示するフローチャート図である。
【図７】一実施形態例により露出画像の取り込みにおける興味領域を特定するために用い得るGUIのダイアログを示す図である。
【発明を実施するための形態】
【００２９】
一実施形態例を要約すると、プロジェクタープラットフォームにおける較正モジュール
は第1操作がデジタルカメラの設定可能な露出属性の初期設定を確立する方法を含む。
【００３０】
次の操作で、較正モジュールはプレビュー画像を表面上に投影する。
較正モジュールはデジタルカメラでプレビュー画像の投影を取り込み、プレビュー画像
の取り込みにおいて興味領域を特定する入力を受信する。
次に、較正モジュールは表面上に露出画像を投影する。露出画像は較正プロセスを通じ
1つ以上の較正画像（またはテストパターン）に関係している。
【００３１】
較正モジュールは次に反復的に、（a）デジタルカメラで露出画像の投影を取り込むこ
と、（b）露出画像の取り込みにおける興味領域のピクセルの色チャンネルに関する記述
統計（例、最大、最小、中央値、および／または平均）を測定すること、（c）記述統計
を較正プロセスにより決定される評価関数で評価すること、（d）デジタルカメラにおけ
る露出属性の修正設定を確立すること、によりデジタルカメラの露出属性の最終設定を演
算する。
較正モジュールが露出属性の最終設定を演算した後、較正モジュールは露出画像に関係
する較正画像を表示する際プロジェクタープラットフォームが後に使用するために最終設
定を記憶する。
【００３２】
クレームされる発明のこれらおよび他の態様および利点は、添付図面と併せて発明の原
則を例示する以下の詳細な説明から明らかになろう。
以下の説明において、典型的な実施形態の充分な理解を提供するために多数の具体的な
詳細が記述される。しかし当業者であれば実施形態例はこれら具体的な詳細のいくつかが
なくても実施できることが明らかであろう。別の場合、既に周知の場合プロセス操作およ
び実施の詳細は詳しく説明されていない。
【００３３】
マルチプロジェクター表示システムの設定用に較正画像のセットを取り込むための較正
プロセスで利用されるデジタルカメラなどの取り込み装置の最適な露出設定を決定する方
法が説明される。方法は領域特定インターフェイス、露出画像の自動取り込み、測定およ
び評価機能、およびシステムの較正プロセスにより参照される露出設定手法を含む。以下
に説明する実施形態において、複数の露出画像が取り込まれ分析される。当業者であれば
、露出画像の正しい露出は取り込み内容の画質に直接的な影響があり、これは続いて処理
に送り込まれ、続くプロジェクターシステムの較正結果を決定することを理解しよう。
【００３４】
図1は一実施形態例によりいくつかのプロジェクターから比較的シームレスな表示を作
成するシステムにおけるハードウェア構成要素の概略図である。この実施形態において、
システム100はプロジェクタープラットフォーム102を含み、これは中央演算装置（CPU）
およびいくつかの図形処理装置（GPU）とともにメモリー、記憶装置、およびLinux（登録
商標）またはWindows（登録商標）のバージョンなどのオペレーティングシステムで構成
される汎用コンピューターであることができる。例えば、CPUはIntel（登録商標）Quad‐
CoreQ6600マイクロプロセッサーで、GPUはNVIDIA（登録商標）GeForce（登録商標）9800G
TXカードなど、Peripheral Component Interconnect Express（PCIe）規格に準拠する2つ
のグラフィックスカードであることができる。2つのグラフィックスカードはプロジェク
タープラットフォーム102が表面上の投影にビデオ出力を4台のビデオプロジェクター101a
、101b、101c、および101dに送信することを可能にする。
【００３５】
本明細書で説明される実施形態例は平坦な表面または平坦性の点で不規則な表面上への
投影に対応し得ることが理解されよう。一実施形態において、システム100の較正の際デ
ジタルスチールカメラ103（またはスチール写真を撮ることのできるデジタルカメラ）がU
SB（ユニバーサルシリアルバス）ケーブルを用いてプロジェクタープラットフォーム102
に取り付けられる。別の実施形態例において、システム100の較正にデジタルビデオカメ
ラを用い得る。較正に続き、デジタルカメラ103は取り除いても良い。オプションとして
取り込みカードはラップトップ106、メディアプレーヤー107、および／またはLAN（構内
ネットワーク）、WAN（広域ネットワーク）、インターネット、等々であり得るネットワ
ーク108からプロジェクタープラットフォーム102へのビデオ入力を可能にする。オプショ
ンとしてのセンサーバー104はプロジェクタープラットフォーム102へビデオでない入力を
可能にし、ウェブコンソール105も同様で、これはキーボードおよび／またはマウスから
入力を受信し得る。
【００３６】
図2は一実施形態例によりいくつかのプロジェクターから比較的シームレスな表示を作
成するシステムにおける高レベル機能モジュールの概略図である。この実施形態において
、プロジェクタープラットフォーム102は入力204を受信し、これらは処理され、次にビデ
オ205としてビデオプロジェクター101a、101b、101c、および101dに出力される。本図に
描かれるように、入力204はビデオ、画像、または取り込み（例、フレームグラバーハー
ドウェアによりまたはネットワーク上で取り込まれた）であり得る。デジタルカメラ103
はさらに取り込み較正画像の形で入力をプロジェクタープラットフォーム102に提供する
。
【００３７】
図2に描くように、プロジェクタープラットフォーム102は較正モジュール210および投
影プレーヤー203の2つの高レベルモジュールを実行し、これらはソフトウェア、ファーム
ウェア、および／またはハードウェアであり得る。較正モジュール201は較正データセッ
ト202を通じて投影プレーヤー203と連動し、較正データセットは後に投影プレーヤー203
が使用するために較正モジュール201の出力を永続的に記憶する。較正モジュール201は2
グループのモジュールを含む。
【００３８】
第1グループのモジュールは全般的に取り込みと初期化に係わり、（1）装置の検出と識
別、（2）較正タイプの選択、（3）カメラの位置合わせ、（4）カメラの露出、および（5
）取り込みプロセス、のモジュールを含む。
第2グループのモジュールは全般的に処理に係わり、（1）表示領域を検出する、（2）
クロッピングとマスクをする、（3）座標マッピングを演算する、（4）ブレンディングラ
ンプを準備する、（5）色曲線を測定し生成する、モジュールを含む。
【００３９】
較正モジュール201により出力される結果はすべて較正データセット202に記憶される。
モジュール206（カメラの露出）は一実施形態例において以下に説明する露出属性を設定
するプロセスが実行され得るモジュールである。別の実施形態例において較正モジュール
201における他のモジュールもこのプロセスの実行に適することができる。
【００４０】
投影プレーヤー203は較正データセット202およびメディア204に記憶されるデータを入
力として取り込む。図2に描かれるように、投影プレーヤーは次のモジュール、（1）GPU
再生マネージャー、（2）仮想フレームバッファー、（3）ユーザーインターフェイスレイ
アウトコントローラー、および（4）メディア引き出し、を含む。投影プレーヤー203はシ
ステムのGPUと連動し、後者は表面上に表示するためにプロジェクター101a‐101dに伝送
される調節済みビデオ出力205を生成すべくフラグメントシェーダーおよび頂点シェーダ
ーを実行する。
【００４１】
図3は一実施形態例により較正プロセス用の露出属性の設定を得るモジュールにおける
機能構成要素の概略図である。一実施形態において、プロジェクタープラットフォーム10
2は上述かつ図2に描かれるように、カメラ露出モジュール206を含む較正および初期化モ
ジュール201を実行する。
カメラ露出モジュール206は少数（例、4）の露出画像（例、赤画像、緑画像、青画像、
および／またはグレースケール画像）からなり得る較正プロセス301を入力として取り込
む。露出画像はより多数（例、10）の較正画像に結び付いていることができる。露出画像
と較正画像の相対的な数は例示であり、限定する意図ではない。
【００４２】
一実施形態において、プロジェクタープラットフォーム102用の較正画像は例えば無地
の赤、無地の緑、無地の青、無地の白、複数諧調の赤、複数諧調の緑、複数諧調の青、青
／緑縞の交互の帯、ならびに水平および垂直のラスター線を含むことができる。
カメラ露出モジュール206は較正露出設定302を出力し、これらは別途説明されるように
較正および初期化モジュール201の他のモジュールが後に使用できるようプロジェクター
プラットフォーム102に永続的に記憶される（例、データベースにおいて）。
【００４３】
図4は一実施形態例によりいくつかのプロジェクターから比較的シームレスな表示を作
成するシステムを較正するのに用い得る較正画像を記載する表を示す。表401における列
の見出しは例えば「超明度」、「超明度精密」、「性能」、および「精密」など、実施形
態例において用い得る較正プロセス（例、図3における較正プロセス301）である。
【００４４】
各列の見出しの下に記載される項目は構成画像のセットで、各セットは露出画像の1つ
と今後較正プロセスにより定義される較正露出設定に結び付けられる。例えば、列の見出
し「精密」の下には「ラスター＿画像＿行」と呼ばれる較正画像セットがあり、これは既
知のピクセル密度および垂直オフセットの黒い背景に描かれた白い水平ラスター線のいく
つかの較正画像からなり得る。
【００４５】
白の無地パターンの露出画像がこの較正画像セットにおける較正画像と結び付いている
ことができる。さらに、同じ列の見出しの下に「赤＿画像」と呼ばれる較正画像セットが
あり、これは一実施形態において、赤い色相の既知のRGB（赤緑青）値における色の領域
を有する単一の較正画像からなり得る。「赤＿画像」較正画像セットにおける単一の較正
画像はデジタルカメラの露出属性を設定する目的からそれ自体の露出画像として二役を用
い得ることが理解されよう。
【００４６】
さらに、ラスター＿画像＿行の較正画像セットにおける白い無地の露出画像は「精密」
較正プロセスに設定される白＿画像の較正画像セットからの較正画像と結び付けることも
できる。このように、単一露出画像により決定される露出はいくつかの較正画像の間で共
有することができる。
【００４７】
図5は一実施形態例により較正プロセス用の露出属性の設定を得るプロセスを示すフロ
ーチャート図である。このプロセスは図3に描かれるようにプロジェクタープラットフォ
ーム102上の較正モジュール201（例、カメラ露出モジュール206）で実行することができ
る。従って、プロセスはソフトウェア、ファームウェア、および／またはハードウェアと
して実施可能である。
【００４８】
図5に示すプロセスの第1操作501において、較正モジュールはプロジェクタープラット
フォームのデジタルカメラ（例、スチール写真を撮ることのできるデジタルカメラ）を検
出し、デジタルカメラの可能な露出設定または属性のリストを取得する。
一実施形態において、libgphoto2などのオープンソースのソフトウェアライブラリーを
用いてデジタルカメラの露出設定（例、絞り、シャッター速度、およびISO設定）を検索
し、および／または設定し得ることが理解されよう。
一実施形態例において、露出属性の可能な設定を露出方向が維持されるように分類する
ことができる。例えば、シャッター速度を速いから遅い方向に列挙して単に可能な設定の
リストへのインデックス位置を調節することにより現在の露出設定を増やし、または減ら
すことができる。
【００４９】
他の露出属性は較正モジュールにより同様に扱うことができる。ここで、集合露出設定
が絞りの設定、シャッター速度の設置、ISO設定の設定、等々からなるとして、較正モジ
ュールにより集合露出設定を維持すること（（例、揮発性または永続的記憶装置に）がで
きることが理解されよう。
【００５０】
プロセスの次の操作502において、較正モジュールは画像を表示して取り込み、投影プ
ラットフォームのユーザーにより（a）直接に、または（b）インターフェイス制御を用い
て遠隔からデジタルカメラへの手動調節を容易にする。
一実施形態において、ユーザーは表示する画像を選択できる。手動調節はデジタルカメ
ラの、（1）位置および／または向き、（2）視野（例、ズーム）、（3）被写界深度（例
、絞り）、（4）ピント、（5）ISO設定、および（6）シャッター速度、への調節を含むこ
とができる。
【００５１】
あるいは、プロセスにおけるこの時点で、ユーザーは時間と効果の点で高くつくかもし
れない手動調節の代わりにデジタルカメラにより提供される自動機能、例、オートフォー
カスまたは自動露出、を用いるかもしれない。この操作で表示される画像はプロジェクタ
ー表示領域を囲む格子または縁の要素を含むかもしれない。
【００５２】
あるいは、この操作で表示される画像は任意の適当な画像を代替することができるもの
の、本開示の他の場所で説明される較正プロセスに関連していることができる。一実施形
態において、画像はプロジェクタープラットフォームにおけるすべてのプロジェクター上
で表示されることができる。別の実施形態例において、画像はプロジェクタープラットフ
ォームのすべてより少ないプロジェクター上で表示されることができる。
【００５３】
プロセスの操作503において、較正モジュールは調節されたデジタルカメラから露出属
性の初期値を取り出す（例、ソフトウェアにより）。別の実施形態例において、較正モジ
ュールは各露出属性について利用可能な露出設置の分類されたリストにおける中央点の値
を選んで露出属性の初期値を設定することができる。
【００５４】
操作504において、較正モジュールは選択された較正プロセスに関連するプレビュー画
像、例えば超明度精密（上述のような）に関連する画像、をそれが選択された較正プロセ
スである場合表示し（例、プロジェクタープラットフォームにおけるすべてのプロジェク
ター上で）取り込む。
一実施形態において、プレビュー画像は無地の明るい色の領域であることができる。ま
たはプレビュー画像はその後較正モジュールにより表示される露出画像と同じかもしれな
い。
【００５５】
操作505において、較正モジュールは取り込まれたプレビュー画像における興味領域を
特定するユーザー入力を受信する。一実施形態例において、取り込まれたプレビュー画像
はユーザーが可視表示面にわたり明るい重なり合いおよび暗い重なり合わない部分を識別
できるようにするグレースケール画像に変換されることができる。グラフィカルユーザー
インターフェイス（GUI）におけるダイアログボックスに表示された取り込みプレビュー
画像上にカーソルを位置付けてマウスをクリックすることにより、取り込みプレビュー画
像について興味領域が示される。各興味領域はその後の露出画像の取り込みにおいて各々
の領域に相関させられる。
【００５６】
別の実施形態例は興味領域の特定を自動化することができる。以下に説明する統計的計
算における加重を避けるために、特定できる領域のすべてが同じサイズであることができ
る。この別の実施形態例において、特定可能な領域に対する固定サイズをユーザーから受
信しても良い。
【００５７】
引き続き図5を参照すると、操作506において、較正モジュールは選択された較正プロセ
スに関連する露出画像（例、図4における赤＿画像較正画像セットと結び付いたもの）を
デジタルカメラから取り出された露出属性の初期値を用いて表示する（例、プロジェクタ
ープラットフォームのすべてのプロジェクター上で）。
【００５８】
操作507において、較正プロセスは反復的に、（1）露出画像を取り込み、（2）取り込
みプレビュー画像においてユーザーにより特定された興味領域に対応する興味領域に取り
込み画像データを処理し（例、以下に説明する測定および評価操作を用いて）、（3）利
用可能な露出設定を用いて露出属性の値を調節する（例、ソフトウェアで）。反復は露出
属性について満足できる値が得られた時、または失敗が生じる場合（例、露出属性の可能
な順列すべてが不満足である）終了する。
【００５９】
一実施形態例において、利用可能な露出設定を用いて露出属性の値を調節する際、較正
モジュールはQuick sortおよび二分探索法などさまざまな分類および検索アルゴリズムを
用いることができる。
プロセスにより満足できる露出属性の値が得られない場合、プロセスは一実施形態にお
いて失敗を報告することができ、あるいは露出属性に既定値を用いることができる。
露出属性に対し満足できる値が得られた場合、較正モジュールは操作508において値に
基づき最終露出設定（例、絞り、シャッター速度、および／またはISO設定）を計算し、
選択された較正プロセスでその後に用いるために最終露出設定を記憶する。
【００６０】
一実施形態例において、操作508における最終露出設定の計算は最終露出設定のエラー
を緩和すべく特定量の加算または除算（または他の同様な調節）が係わることもできる。
例えば、ラスター線を含む較正画像に対する露出画像の1つは全画面の白画像かもしれな
い。しかし、この露出画像に対する最終露出設定を保存する際、較正モジュールは薄い、
暗く照明されたラスター線が過度に露出不足にならないことを保証するためにシャッター
速度の露出設定を2つ分上げて調節することができる。
【００６１】
図6は一実施形態例により露出画像の取り込みにおいてユーザーにより特定された興味
領域を評価するプロセスを図示するフローチャート図である。このプロセスも図3に描か
れるプロジェクタープラットフォーム102上の較正モジュール201で実行されることができ
る（例、カメラ露出モジュール206）。
【００６２】
このプロセスは図5における操作507として示される興味領域の処理の一部分であって良
い。図6に示すプロセスの第1操作601において、較正モジュールは特定された各興味領域
における各ピクセルに対する色チャンネル値（例、RGB値）を取得することにより特定さ
れた興味領域を分析する。
【００６３】
さらにこのプロセスにおいて、較正モジュールは各色チャンネルで得られた値の中央値
を演算する。較正モジュールは演算された中央値を各色チャンネルについて興味領域毎に
アレイに記憶する。これらの操作に対する雑音の影響を軽減するために、較正モジュール
は操作の実施前に露出画像の取り込みに随意メディアンフィルターを適用することができ
る。
【００６４】
別の実施形態例において、較正モジュールは随意操作601の初期工程として特定された
各興味領域の各々に対してのみメディアンフィルターを適用することができる。
【００６５】
プロセスの次の操作602において、較正モジュールは各色チャンネルのアレイを分類し
て特定された領域すべてにわたり中央値の最小、特定された領域すべてにわたり中央値の
最大、および特定された領域すべてにわたり中央値の中央値を特定することにより測定セ
ットを演算する。較正モジュールはさらに各色チャンネルについて特定された領域すべて
にわたり中央値の平均（例、相加平均）も演算する。別の実施形態例において、較正モジ
ュールはアレイが完了した後アレイを分類する代わりに、操作601において演算された中
央値各々を色チャンネルのアレイに記憶する際分類することができる。
【００６６】
次に操作603において、較正モジュールは測定セットにおける1つ以上の統計（例、中央
値の最小、中央値の最大、中央値の中央、および／または中央値の平均）を入力として現
在の露出属性がユーザーにより選択された較正プロセスにおける較正画像に対し満足でき
るか判定する評価関数を用いて測定セットを評価する。
【００６７】
例えば、取り込み露出画像が赤色の領域からなる場合、較正モジュールは以下に記述す
るような条件式を含む評価関数を使用することができる。条件式は赤の色チャンネルのア
レイに含まれる統計に作用し、そのアレイにおける値は各色チャンネルが8ビットで表せ
る場合0から255の範囲にあることができる。
（max＜240）の場合
露出を増やし、
さもなければ（min＜128）の場合
露出を増やし、
さもなければ（max＞250）の場合
露出を減らし
さもなければ
露出検出
【００６８】
これらの条件式は現在の露出設定が赤の色チャンネルに対し下限閾値（例、128）を超
える最小および限定範囲内（例、240と250の間）で赤の色チャンネルの最大を実現してい
るか、または現在の露出への変更が必要かを検出しようとすることが理解されよう。
輝度の点で、これらの条件式は露出属性がいつ赤の色チャンネルにおける暗いピクセル
はビューアーにより検出できる程度に露出され、赤の色チャンネルにおける明るいピクセ
ルはビューアーが赤の色チャンネルにおける暗いピクセルを検出できるために必要でない
限り著しく過度に露出されていない状態であるかを検出しようとする。
【００６９】
これらの条件式が測定は正しい（満足できる露出を示す）と判定した場合、較正モジュ
ールは現在の露出属性を受け入れ、現在の露出属性に基づき最終露出設定を作成し（例、
絞り、シャッター速度、および／またはISO設定）、その露出画像に対し選択された較正
プロセスにおいて後に使用するために最終露出設定を記憶する。これらの条件式が測定は
不充分である（悪い露出を示す）と判定した場合、較正モジュールは（1）利用可能な露
出設定を用いて1つ以上の露出属性を調節することにより（例、ソフトウェアで）現在の
露出設定を増やすか減らし、取り込みプロセスを繰り返す（例、上述していなループ式で
操作507に戻る）、（2）露出属性に対し既定値を採用する、または（3）失敗を報告する
、ことができる。
【００７０】
別の実施形態例で、記述統計は上述とは異なることができる。例えば、較正モジュール
は操作602および603において中央値または相加平均以外の中心傾向の尺度を用いることが
できる。または較正モジュールはこれらの操作において中心傾向の尺度をちらばりの尺度
（例、標準偏差）と組み合わせて、または中心傾向の尺度をひずみの尺度と組み合わせて
用いることができる。
【００７１】
図7は一実施形態例により露出画像の取り込みにおける興味領域を特定するために用い
得るGUIのダイアログを示す図である。図7に描くように、GUIのダイアログ701は取り込み
プレビュー画像702を含み、これはユーザーが興味領域704などの興味領域を特定する視覚
的補助の役割を果たす格子線703を有する位置合わせグリッドがオーバレイされている。
一実施形態例において、興味領域の候補は位置合わせグリッドのセル寸法の除数に従い一
律のサイズにされている。しかし、これら領域を得る他の任意の方法で置き換えることも
できる。
【００７２】
一実施形態例において、ユーザーは興味領域704にカーソルを向けてマウスをクリック
することにより特定することができる。別の実施形態例において、興味領域の特定は例え
ば取り込みプレビュー画像702における輝度に関し極大および極小を検出するよう自動化
することができる。
【００７３】
GUIのダイアログ701は「シャッター速度」と名付けられるドロップダウンリストを含み
、これによりユーザーはソフトウェアを用いてデジタルカメラの初期シャッター速度を設
定することができる。別の実施形態例において、同様のドロップダウンリストによりユー
ザーはソフトウェアを用いてデジタルカメラの初期絞りまたはISO設定を設定することが
できる。GUIのダイアログ701はさらにユーザーが図5に示すプロセスにおける操作506から
508を開始するためにクリックできる「露出検出」と名付けられるボタン705を含む。一実
施形態例において、GUIのダイアログ701は図3に描かれるように、プロジェクタープラッ
トフォーム102の較正モジュール201（例、カメラ露出モジュール206）により表示するこ
とができる。
【００７４】
ユーザーによるデジタルカメラの手動調節を容易にするための画像の表示および取り込
みに係わる、図5に示すプロセスにおける操作502にもGUIのダイアログ701に類似したGUI
のダイアログを用い得ることが理解されよう。ここでも、GUIのダイアログ701をプロジェ
クタープラットフォーム102の較正モジュール201（例、カメラ露出モジュール206）によ
り表示することができる。プロセスにおけるこの時点で、ユーザーは位置合わせグリッド
なしでダイアログ中の画像を見ると決めるかもしれない。これに関し、図7のGUIのダイア
ログ701におけるチェックボックス707（「位置合わせグリッドの表示」）を参照。
【００７５】
本明細書に説明され、発明の一部をなすいずれの操作も有益な機械操作である。発明は
さらにこれらの操作を実施するデバイスまたは装置に関する。装置はこの目的に特別に構
築されて良く、またはコンピューター内に記憶されるコンピュータープログラムにより選
択的に起動もしくは設定される汎用コンピューターであって良い。具体的に、さまざまな
汎用機械を本明細書に従い書かれたコンピュータープログラムと用いることができ、また
は操作を実施するためにより特殊な装置を構築することがより便利かもしれない。
【００７６】
発明はコンピューター読み取り可能な記憶媒体上のコンピューター読み取り可能なコー
ドとして具現化することができる。コンピューター読み取り可能な記憶媒体は後にコンピ
ューターシステムにより読み取りできるデータを記憶できる任意のデータ記憶装置である
。コンピューター読み取り可能な記憶媒体の例はハードドライブ、ネットワーク接続スト
レージ（NAS）、読み取り専用メモリー、ランダムアクセスメモリー、CD‐ROM、CD‐R、C
D‐RW、磁気テープ、および他の光および非光データ記憶装置を含む。コンピューター読
み取り可能な記憶媒体はネットワーク連結コンピューターシステム上で分散され、コンピ
ューター読み取り可能なコードが分散した形で記憶され実行されることもできる。
【００７７】
さらに、上記の図における操作により表される命令は図示する順序で実施されることを
必要とせず、操作により表される処理のすべてが発明の実施に必要ないかもしれないこと
が理解されよう。さらに、上記の図のいずれに記載されるプロセスもRAM、ROM、またはハ
ードディスクドライブのいずれかの1つまたは組み合わせに記憶されるソフトウェアにお
いて実施することができる。
【００７８】
前述の発明は明瞭な理解の目的から詳細に説明されたが、添付クレームの範囲内で特定
の変更および修正を実施し得ることは明らかであろう。これに関し、上述のプロセスにお
ける操作の可能な順序は他に多数あり、これらの順序の可能なモジュラー化も多数あるこ
とが理解されよう。従って、本実施形態は限定的ではなく例示的とみなされ、発明は本明
細書に記載される詳細に限定されず、添付クレームの範囲および等価物内で修正できる。
添付クレームにおいて、要素および／または操作はクレームに明示的に記述されるか、ま
たは開示により黙示的に必要とされない限り、操作の特定の順序を意味していない。
【符号の説明】
【００７９】
１００  システム、１０１  プロジェクター、１０２  プロジェクタープラットフォー
ム、１０３  デジタルスチールカメラ、１０４  センサーバー、１０５  ウェブコンソー
ル、１０６  ラップトップコンピューター、１０７  メディアプレーヤー、１０８  ネッ
トワーク。
【図４】
2011061773.tif 000003
【図５】
2011061773.tif 000004
【図６】
2011061773.tif 000005
【図１】
2011061773.tif 000006
【図２】
2011061773.tif 000007
【図３】
2011061773.tif 000008
【図７】
2011061773.tif 000009